(57)【要約】【目的】壁にアンカーナットを打ち込んだあとアンカーナットの端面が壁の表面より突出すること無く、穿設した下穴の深さがアンカーナットの長さより深く掘りすぎた場合でもアンカーナットの端面を壁の表面と同一面で固定させるアンカーナット固定工具を提供する。【構成】下穴１３が開口する表面１１に座着される座１を有し、座の座面４側に上記下穴１３内へ挿入されて該下穴１３内のアンカーナットに螺合する雄ネジ２を有し、該座１と雄ネジ２を貫通する貫通孔３を形成し、該貫通孔３に貫挿しアンカーナットの割筒部８を拡開せしめ下穴１３の内壁に喰いつかせるための叩き棒５を有するアンカーナット固定工具。【選択図】図４
2004143902.tif 000002
【特許請求の範囲】
【請求項１】
下穴が開口する表面に座着される座を有し、座の座面側に上記下穴内へ挿入されて下穴内のアンカーナットに螺合する雄ネジを有し、該座と雄ネジを貫通する貫通孔を形成し、該貫通孔に貫挿しアンカーナットの割筒を拡開せしめ下穴内壁に喰いつかせるための叩き棒を有することを特徴とするアンカーナット固定工具。
【発明の詳細な説明】
【０００１】
【産業上の利用分野】本発明は、土木、建設等において荷重支持のアンカーナットを固定するときに使用するアンカーナット固定工具に関する。
【０００２】
【従来の技術】
従来からあるアンカーナットの施工状態を図１、図２で説明する。
【０００３】
図１に示す従来からあるアンカーナットは、筒部１４の一端開口縁部にフレアー加工を施したテーパー形拡口縁部１５を有し、筒部１４の内周面に雌ネジ１６を形成し、他端側は割筒部１７になっており、割筒部１７の内端側の内周面にはテーパーを形成し、テーパ形状を有するくさび体９をこの筒部１４　内に装填している。
【０００４】
図２に示すようにアンカーナットは壁１０にあらかじめ穿設した下穴１３に挿入し、テーパー形拡口縁部１５のテーパー面を下穴１３の開口部の角縁部に係止させ、それから叩き棒５を筒部１４の中に挿入し、くさび体９の端面を叩くことによって割筒部１７のテーパー面を介して該割筒部１７を拡開させ下穴の内壁に喰いつかせようとするものだが、壁１０が軟質のものである場合くさび体９を叩くと、アンカーナットのテーパー形拡口縁部１５の係止力が弱く割筒部１７が拡開する前にテーパー形拡口縁部１５が下穴１３の開口部の角縁部を削りながら潜り込んでしまい、下穴１３の底１２まで押し込まれてから割筒部１７が拡開して喰いつかせる。
【０００５】
【発明が解決しようとする課題】
図２に示すように従来のアンカーナットは固定後、テーパー形拡口縁部１５が有る為、テーパー形拡口縁部１５の厚さａだけ壁１０の表面１１より突出してしまう問題を有している。
【０００６】
また壁１０が軟質の場合、テーパー形拡口縁部１５が下穴１３の開口部の角縁部を削りながら、アンカーナットの割筒部１７が拡開しない状態で壁の表面１１より潜り込んでしまう。
【０００７】
また、この潜り込みを防止せんとしてテーパー形拡口縁部１５の径ｂを十分大きくすると、壁の表面１１から突出する部分が更に大きくなってしまう。
【０００８】
したがって壁１０が軟質の場合は、上記潜り込みの問題を解消するにはアンカーナットの長さｄと穿設する下穴の深さｅを同じにしてアンカーナットの割筒部端面を下穴の底で係止させなければならないが、実際には下穴１３の深さを精度良く穿設することは困難である。
【０００９】
又、図３の下段に示すテーパー形拡口縁部１５を有しないアンカーナットも従来からあり，これは筒部６の内周面に雌ネジ７を形成し、他端側は割筒部８になっており、割筒部８の内端側の内周面にはテーパーを形成し、テーパー形状を有するくさび体９をこの筒部６　内に装填している。
【００１０】
このテーパー形拡口縁部１５を有しないアンカーナットの筒部６の端面１８を壁の表面と同一面に固定させる場合は、壁が硬質の場合でも穿設する下穴の深さをアンカーナットの長さと同じにして割筒部端面を穴の底で係止させなければならないが、実際には下穴の深さを精度良く穿設することは困難である。
【００１１】
また、メジャーを穴に差し込んで穴の深さを計測するため、穿設した下穴に削った破片が残っていることに気がつかずにアンカーナットの長さと同じと判断することがある。そしてそのまま叩き棒５でアンカーナットのく
さび体９を叩いた場合、アンカーナットの割筒の下にある削り残った破片が砕かれ，アンカーナットが潜ってしまうことがあった。その時割筒部が拡開してしまっていたら穴から取り出すことはできず、やり直しは不可能である。
【００１２】
したがって穿設した下穴１３には、削り破片を残してはならないが，　吸引機で削り破片を吸い込むにも下穴の径ｃが小さいため、吸引機のノズルが下穴１３に入らず完全に除去することは困難である。
【００１３】
また、下穴１３を深く掘りすぎてしまった場合は下穴１３の底に硬質のものを充填し、下穴１３をアンカーナットの長さｄと同一の深さに調整しなければならない。
【００１４】
また、アンカーナットを叩き棒５で叩くとき棒を斜めに持って叩いた場合アンカーナットも斜めに固定してしまいアンカーナットの芯がずれてしまうことがあり、この場合も穴から抜くことができずやり直しは不可能である。
【００１５】
【課題を解決するための手段】
上記図３に示す如きテーパー形拡口縁部を有しないアンカーナットを用いつつ以上の問題点を解決するアンカーナット固定工具を提供する。このアンカーナット固定工具は下穴が開口する表面に座着される座を有し、座の座面側に上記下穴内へ挿入されて下穴内のアンカーナットに螺合する雄ネジを有し、該座と雄ネジを貫通する貫通孔を形成し、該貫通孔に貫挿しアンカーナットの割筒部を拡開せしめ下穴内壁に喰いつかせるための叩き棒を有する。而して工具の雄ネジとアンカーナットの雌ネジとを締結一体にし、本工具の座の座面が壁の表面に座着するまでアンカーナットを下穴内に挿入し、貫通孔に貫挿した叩き棒を叩くことによりくさび体が押し込まれアンカーナットの割筒部を拡開し、壁の下穴の内壁面に喰いつかせ固定させるものである。
【００１６】
本発明のアンカーナット固定工具によれば、前記テーパー形拡口縁部を有しないアンカーナットを用いアンカーナットの雌ネジと本工具の雄ネジとを螺合締結することにより一体にする。そのことにより本工具の座面が下穴に係止するので、穴を深く掘りすぎた場合でもアンカーナットが潜り込んでしまうことは無い。
【００１７】
また、壁が軟質の場合でも、本発明のアンカーナット固定工具はアンカーナットを壁に固定させた後、螺合を解除することにより分離できるため壁の表面に残らない。従って座の表面積は条件が許す限り大きくでき、座面の面積を大きくすることにより壁の材質が軟質の場合でも壁の表面の抵抗を受け、アンカーナットの筒部はくさび体が叩かれても穴に潜り込むことはなく該筒部端面は壁の表面と同一になる。
【００１８】
【発明の実施の形態】
本発明の実施の形態を図３、図４、図５、図６に基づいて説明する。図３の上段に示すものは本発明のアンカーナット固定工具の断面図であり、下段に示すものは従来からあるテーパー形拡口縁部を有しないアンカーナット単体の断面図を示したものである。
【００１９】
図４は本発明の工具の雄ネジ２に該アンカーナットの雌ネジ７を締結し、下穴１３に挿入した状態を示すものである。
【００２０】
本発明のアンカーナット固定工具は、図４に示す下穴１３が開口する表面１１に座着される座１を有し、該座１の座面４側に上記下穴１３内へ挿入されて下穴１３内のアンカーナットに螺合する雄ネジ２を有し、該座１と雄ネジ２を貫通する貫通孔３を形成し、該貫通孔３に貫挿しアンカーナットの割筒部８を拡開せしめ下穴内壁に喰いつかせるための叩き棒５を有する。
【００２１】
上記座１は円形または正多角形またはＩ形、十字形等を呈し、その中心部の軸線上に上記雄ネジ２を同軸線に垂設する。同様に、上記貫通孔３は座１と雄ネジ２の軸線上に同軸線に貫設する。したがって貫通孔３は座１の外表面の中心と雄ネジ２の内端面の中心において開口する。
【００２２】
上記座１と壁面との間に取り付け対象物を介在させる場合には、この取り付け対象物と壁１０とに下穴１３を設け、取り付け対象物の表面１１に上記座１を座着せしめる。
【００２３】
まず図４に示す、壁１０に穿設する下穴１３をドリル等を用いアンカーナットの長さより十分深く掘り、該下穴１３の中の削った破片を除去する。次に本発明の工具の雄ネジ２とアンカーナットの雌ネジ７とを締結し、穿設した下穴１３に挿入する。
【００２４】
アンカーナットの雌ネジ７を上記雄ネジ２へ螺合することによって、筒部６のの外端面１８を座面４に当接せしめる。または取り付け対象物を介在する場合には、雄ネジ７の頸下に環状段部等のストッパーを設け、該ストッパーに筒部６の外端面１８を当接し、よって雌ネジ７の外端面が壁１０に穿けた下穴１３の開口面と同レベルかまたは開口面直下に挿入位置を設定する。
【００２５】
そして、本発明のアンカーナット固定工具の座１の座面４を壁の表面１１または取り付け対象物の表面１１に座着させ、座面４を表面１１に押さえつけて叩き棒５を叩く。
【００２６】
図５に示すようにアンカーナットの中のくさび体９が叩き棒５により押し込まれアンカーナットの割筒部８を拡開して、壁の下穴の内壁に割筒部８が喰いつき固定する。
【００２７】
固定した後、図６に示すように本発明のアンカーナット固定工具の雄ネジ２とアンカーナットの雌ネジ７の締結を解除し分離した状態とする。
【００２８】
【発明の効果】
本発明によるアンカーナット固定工具の雄ネジとテーパー形拡口縁部を有しないアンカーナットの雌ネジを締結することにより、下穴をアンカーナットの長さより深く掘りすぎた場合でもアンカーナット固定工具の座面が壁または取り付け対象物の表面で係止してアンカーナットの挿入深さを適正に設定できる。
【００２９】
従って座の座面を壁等の表面に座着したうえで叩き棒を叩くのでアンカーナットの筒部の外端面が壁の表面から突出することなく壁の表面とアンカーナットの雌ネジ端面とを同一面で固定できる。
【００３０】
また、壁が軟質の場合でも座面の面積を大きくすることで壁の表面から受ける抵抗が大きくなるので、アンカーナット単体を使用してくさび体を叩き棒で押し込む場合に起こる、割筒部が拡開する前に軟質な壁の穴の底を押し進みアンカーナットの筒部の外端面が壁の表面より潜り込んでしまうことがない。
【００３１】
また、テーパー形拡口縁部を有しないアンカーナット単体で使用するときに必要な作業であった下穴の深さとアンカーナットの長さを等しくするための正確を要する計測作業、及び穴を掘った後の破片の完全な除去作業、またそれに伴う破片の有無を確認する作業、また下穴を深く掘りすぎてしまった場合、該下穴の底に硬質のものを充填し、該下穴をアンカーナットの長さと同一の深さに調整しなければならない等の煩雑な作業を本発明により解消することができる。
【００３２】
また本発明の工具とテーパー形拡口縁部がないアンカーナットを螺合して、穿設した下穴に挿入し本工具の座面を壁の表面に座着することで、アンカーナット単体で打ち込むときに起こりうる斜めに打ち込むことが無くなり、壁の表面に対し垂直に打ち込め、アンカーナットの芯がずれてしまう問題を防止できる。
【図面の簡単な説明】
【図１】従来から使用されているテーパー形拡口縁部１５を有しているアンカーナットの断面図である。
【図２】叩き棒５を上記アンカーナットの筒部１４の中に挿入し、くさび体９の端面を叩くことによって割筒部１７のテーパー面を介して該割筒部１７を拡開させ下穴の内壁に喰いつかせ、固定した状態を示した断面図である。
【図３】上段に示す本発明のアンカーナット固定工具と、下段に示す従来から使用されているテーパー形拡口縁部を有しないアンカーナットとを、締結前の状態を以って表す断面図である。
【図４】本発明のアンカーナット固定工具の雄ネジ２とテーパー形拡口縁部１５を有しないアンカーナットの雌ネジ７とを締結して下穴１３へ挿入した状態と、叩き棒５をアンカーナット固定工具の貫通孔３へ貫挿直前の状態を以って表す断面図である。
【図５】図４の状態から叩き棒５を貫通孔３に貫挿しくさび体９を叩き、割筒部８を拡開し下穴１３の内壁面に食いつかせ固定した状態を表す断面図である。
【図６】アンカーナット固定工具の雄ネジ２をアンカーナットの雌ネジ７から締結解除し、同工具を分離撤去した状態を表す断面図である。
【符号の説明】
１−アンカーナット固定工具の座
２−アンカーナット固定工具の雄ネジ
３−アンカーナット固定工具の座と雄ネジを貫通する貫通孔
４−アンカーナット固定工具の座の座面
５−アンカーナット固定工具の座と雄ネジを貫通する貫通孔に貫挿する叩き棒
６−テーパー形拡口縁部を有しないアンカーナットの筒部
７−テーパー形拡口縁部を有しないアンカーナットの内周面に螺設した雌ネジ
８−テーパー形拡口縁部を有しないアンカーナットの内周面にテーパーを形成した割筒部
９−筒部内に装填しているテーパー形状を有するくさび体
１０−アンカーナットを固定する壁
１１−下穴が開口する表面
１２−下穴の底部
１３−下穴
１４−テーパー形拡口縁部を有するアンカーナットの筒部
１５−テーパー形拡口縁部
１６−テーパー形拡口縁部を有するアンカーナットの内周面に螺設した雌ネジ
１７−テーパー形拡口縁部を有するアンカーナットの内周面にテーパーを形成した割筒部
１８−テーパー形拡口縁部を有しないアンカーナットの筒部の外端面
ａ−テーパー形拡口縁部を有するアンカーナットのテーパー形拡口縁部の厚さ
ｂ−テーパー形拡口縁部を有するアンカーナットのテーパー形拡口縁部の外径
ｃ−下穴の直径
ｄ−テーパー形拡口縁部を有するアンカーナットの筒部の端面から割筒部の外端面までの全長
ｅ−下穴の深さ
【図１】
2004143902.tif 000003
【図２】
2004143902.tif 000004
【図３】
2004143902.tif 000005
【図４】
2004143902.tif 000006
【図５】
2004143902.tif 000007
【図６】
2004143902.tif 000008
【手続補正書】
【提出日】平成15年1月30日(2003.1.30)
【手続補正１】
【補正対象書類名】明細書
【補正対象項目名】請求項１
【補正方法】変更
【補正の内容】
【請求項１】
下穴が開口する表面に座着される座を有し、座の座面側に上記下穴内へ挿入されて下穴内のアンカーナットに螺合する雄ネジを有し、該座と雄ネジを貫通する貫通孔を形成し、該貫通孔に貫挿しアンカーナットの割筒を拡開せしめ下穴内壁に喰いつかせるための叩き棒で構成した工具であり、工具の雄ネジとアンカーナットの雌ネジを螺合締結し、該締結した状態でアンカーナットを下穴内へ挿入し、該挿入により上記座の座面を下穴開口面に座着せしめてアンカーナットの挿入深さを設定し、上記貫通孔に貫挿した叩き棒を叩くことによりくさび体が押し込まれアンカーナットの割筒部を拡開し、壁の下穴の内壁面に喰いつかせ固定させる構成としたことを特徴とするアンカーナット固定工具。